(57)【要約】      （修正有）【課題】植物を送った者や送られた者が、植物を記録に残すことができるように写真付き植物セットを提供する。【解決手段】植物に、当該植物を写した写真を付随することを特徴とし、花は切花、生花、針物の植物、並びに造花であり、植物が経時的に枯れても、写真によって植物を記録することができる。【選択図】図１
0003139500.tif 000002
【実用新案登録請求の範囲】
【請求項１】
花等の植物に、当該植物を写した写真とをセットにしたことを特徴とする写真付き植物セット。
【請求項２】
前記花は、切花、生花、非腐食性の植物、観用の植物、鉢物の植物、並びに造花の何れかであることを特徴とする請求項１に記載の写真付き植物セット。
【考案の詳細な説明】
【技術分野】
【０００１】
本考案は、植物と写真とをセットにして販売等可能な写真付き植物セットに関するものである。
【背景技術】
【０００２】
切花、生花等の植物、非腐食性の植物、胡蝶蘭等の鉢物の植物、並びに造花等は贈り物として一般に用いられている。
【考案の開示】
【考案が解決しようとする課題】
【０００３】
しかしながら、前記植物は、時間の経過によって枯れるために、植物を送った者や送られた者は、時間の経過に伴って、どのような植物を贈ったか、又は、送られたかを忘れてしまい易い。しかし、植物を贈られた者が、自分にとって大切な人の場合には、いつまでも記録に残しておきたいという心理があった。
【０００４】
本考案は、前記従来技術に鑑みてなされたもので、その目的は、植物を送った者や送られた者が、植物を記録に残すことができるように写真付き植物セットを提供することを目的とするものである。
【課題を解決するための手段】
【０００５】
請求項１に記載の考案は、植物に、当該植物を写した写真とをセットにしたことを特徴とするものである。
【０００６】
請求項２に記載の考案は、請求項２に記載の考案において、花は切花、生花、鉢物の植物、鉢物の植物、並びに造花であることを特徴とするものである。
【考案の効果】
【０００７】
請求項１に記載の考案によれば、植物が経時的に枯れても、写真によって、植物を記録することができる。
【０００８】
請求項２に記載の考案によれば、植物を写真によって、記録することができる。
【考案を実施するための最良の形態】
【０００９】
図１は、写真付きの植物セット１の外観図である。当該植物セット１は、植物２と当該植物２を写した写真３とがセットになったものである。植物２には、花を付けた植物や、花を有さない、茎、及び葉からなる植物や、鉢植えの植物等が該当する。植物２としては、切花、生花、観用植物、鉢物の植物、並びに造花等が該当する。当該植物の種類を図１乃至図４に例示する。
【００１０】
前記写真３は、前記植物２を写したものである。
【００１１】
図５は、送り主用の写真３を示す。当該写真３には、送り主を書き込むための余白４、受け取り主を書き込むための余白５、送った日付６を記録するための余白等を設けることができる。又、送り主の写真等を添付するための余白を設けても良い。
【００１２】
図６は受け取り主用の写真を示す。当該写真３には、前記送り主用の写真に設けられている余白４，５，６の他に、送り主から受け取り主に伝えるメッセージを書き込むための余白７が設けられている。
【００１３】
図７は、前述の送り主用の写真３と受け取り主用の写真３との二枚綴りになった場合を示す。この場合、送り主用の写真３と、受け取り主用の写真３とを波線等で容易に分離することができるようすることもできる。
【００１４】
このように、二枚綴りとした場合、用紙は、花店等の小売店や花等の加工店が備えておき、送り主用の写真３は、花店等の小売店や花等の加工店が、植物を受け取り主に届けた後に、郵便等の手段を介して、送り主に送るようにすることができる。又、受け取り主用の写真３は、送られた植物２と共に受け取り主に渡されるものである。
【００１５】
図８は、受け取り主用の写真３に加えて、返信用の写真８を加えた場合を示す。この返信用の写真８には、受け取り主から送り主に伝えるメッセージを書き込むための余白９が設けられている。返信用の写真８が、郵便等の手段を介して送り主に返信できるように、送り主の住所等を記入する部分を設けることによって、植物の受け取り主が、写真を送り主に礼状として郵送することができる。
【００１６】
前記写真３は、植物２をラッピングする前にラッピング用紙の内側に収容しても良いし、図１に示すように、ラッピング用紙の外側に添付するようにしても良い。
【００１７】
前記写真３，８は、カラー写真でも良いし、白黒写真でも良い。又、写真３，８が、アルバムに収容できるサイズであれば、アルバムに保存することができる。
【００１８】
次に、本考案を、送り主用の写真に適用した場合の作用について説明する。花店等の小売店や花等の加工店は、花店等の小売店や花等の加工店に直接来店した者から口頭で、送り主の注文を受けたり、電話やインターネットを介して間接的に、送り主の注文を受けたとする。この場合、図５に示す送り主用の写真を用いたとする。
【００１９】
この場合、送るべき植物の写真を撮影し、その写真の余白部分に送り主の氏名、受け取り主の氏名、送る日付等を書き込む。送り主は、当該写真３をアルバム等に保存しておくことによって、どのような植物２を送ったかを写真で記録できると共に、送った日付や送った相手の氏名等を記録に残すことができる。
【００２０】
次に、本考案を、図６に示すように、受け取り主用の写真３に適用した場合の作用について説明する。この場合、送るべき植物の写真を撮影し、その写真の余白４に送り主の住所や氏名を記載し、余白５に受け取り主の住所や氏名を記載し、余白６に送る日付とを記載する他に、送り主から受け取り主に送るメッセージを余白７に書き込み、植物２と共に、受け取り主に送る。この場合には、受け取り主は、写真の余白７に書き込まれたメッセージを読むことによって、送り主の気持ちをも記録することができる。
【００２１】
又、図７に示すように、送り主用の写真３と受け取り主用の写真３との二枚綴りの写真に本考案を適用する場合には、送り主は、送り主用の写真３を受け取ることで、自己が送った植物等を記録でき、又、受け取り主は、受け取り主用の写真３を受け取ることで、受け取った植物等の記録することができる。
【００２２】
次に、図８に示すように、受け取り主用の写真３と返信用の写真８とを二枚綴りにした写真を用いる場合について説明する。植物２と共に、当該二枚綴りにした写真を受け取り主に渡すと、受け取り主は、受け取り主は、返信用の写真８のメッセージを書き込むための余白９にメッセージを書き込んで、送り主に郵送する。当該返信用写真を受け取った送り主は受け取り主からのメッセージを読むことによって、受け取り主の気持ちを知ることができる。
【図面の簡単な説明】
【００２３】
【図１】図１は、植物と写真とを一緒にした写真付き植物セットの外観図である。
【図２】図２は、植物の種類を示す外観図である。
【図３】図３は、植物の種類を示す外観図である。
【図４】図４は、植物の種類を示す外観図である。
【図５】図５は、送り主用の写真の正面図である。
【図６】図６は、受け取り主用の写真の正面図である。
【図７】図７は、送り主用の写真と受け取り主用の写真とを二枚綴りにした正面図である。
【図８】図８は、受け取り主用の写真と返信用の写真との二枚綴りにした正面図である。
【符号の説明】
【００２４】
１  写真付き植物セット
２  植物
３  写真
４  送り主の氏名等を記載するための余白
５  受け取り主の氏名等を記載するための余白
６  日付を記載する余白
７  メッセージを記載するための余白
８  返信用の写真
９  受け取り主から送り主へ返信するためのメッセージを記載するための余白
【図１】
0003139500.tif 000003
【図２】
0003139500.tif 000004
【図３】
0003139500.tif 000005
【図４】
0003139500.tif 000006
【図５】
0003139500.tif 000007
【図６】
0003139500.tif 000008
【図７】
0003139500.tif 000009
【図８】
0003139500.tif 000010